(57)【要約】【課題】防水扉の保管場所も不要で、迅速に防水扉の開閉が可能となる。【解決手段】出入口１の両側に立設された左右一対の支柱体２と、前記支柱体２の間で床部に形成された収納室３と、前記支柱体２の開閉ガイド機構に案内されて収納室３と支柱体２との間で起伏自在に配置された防水扉４と、防水扉４を収納室３から起立させて出入口１を閉鎖するゲート開閉装置とを具備し、ゲート開閉装置による防水扉４の起立動作に追従してサポートバー８を起立させ防水扉４をロックするゲートロック装置７を防水扉４の中間位置に設けた。【選択図】　　　　図６
2004027684.tif 000002
【特許請求の範囲】
【請求項１】
出入口の両側に立設された左右一対の支柱体と、前記支柱体の間で出入口の床部に形成された収納室と、前記支柱体の開閉ガイド機構に案内されて前記収納室と出入口との間で起伏自在に配置された防水扉と、前記防水扉を収納室から起立させて出入口を閉鎖するゲート開閉装置とを具備し、
前記ゲート開閉装置による防水扉の起立動作に追従してサポートバーを起立させ防水扉をロックするゲートロック装置を収納室に設けた
ことを特徴とする防水扉装置。
【請求項２】
防水扉が上下複数段に分割された分割扉を折り畳み自在に連結して構成されるとともに、収納室に折り畳んだ倒伏姿勢で収納され、
ゲート開閉装置は、防水扉に連結された索体と、支柱体に設けられて前記索体を案内するシーブと、索体を押し引きする水道圧開閉シリンダとを具備し、前記水道圧開閉シリンダにより索体をシーブを介して引き込むことにより防水扉を展開して支柱体間に起立させるように構成した
ことを特徴とする請求項１記載の防水扉装置。
【請求項３】
防水扉が起立されて閉鎖姿勢となる動作に作に連動して防水扉を前方に押し付け、防水扉と支柱体および収納室の一方に取り付けられたシール部材を圧縮して隙間をシールし、防水扉をロックするゲートクランプ装置を設けた
ことを特徴とする請求項１または２記載の防水扉装置。
【発明の詳細な説明】
【０００１】
【発明の属する技術分野】
本発明は、建物や構造物の入口、地下駐車場やエレベータ装置の入口に設置され、高潮や洪水などでオーバーフローした水による浸水を防止する防水扉装置に関する。
【０００２】
【従来の技術】
たとえば集中豪雨などで河川が氾濫し道路などに冠水した水は、構造物の入口などを通って構造物内、特に地下施設に流入し、浸水する。
【０００３】
このため、緊急の浸水の防止策として、流入しやすい低位部分や出入口に土嚢を積む作業が人手により行われていた。
【０００４】
【発明が解決しようとする課題】
このように土嚢を使用する場合には、その準備作業や設置作業が重労働となり、時間的な余裕も必要となる。
【０００５】
また出入口などでは、防水用の扉を設置することも考えられるが、扉の容積や重量も大きく、通常時に扉を保管する保管場所も大きく必要な場合が多く、また扉の開閉や移動に大きい動力が必要になる。
【０００６】
本発明は上記問題点を解決して、保管場所も不要で、迅速に防水扉の開閉が可能な防水扉装置を提供することを目的とする。
【０００７】
【課題を解決するための手段】
上記目的を達成するために請求項１記載の発明は、出入口の両側に立設された左右一対の支柱体と、前記支柱体の間で出入口の床部に形成された収納室と、前記支柱体の開閉ガイド機構に案内されて前記収納室と支柱体との間で起伏自在に配置された防水扉と、前記防水扉を収納室から起立させて出入口を閉鎖するゲート開閉装置とを具備し、前記ゲート開閉装置による防水扉の起立動作に追従してサポートバーを起立させ防水扉をロックするゲートロック装置を収納室に設けたものである。
【０００８】
上記構成によれば、ゲートロック装置により、防水扉の起立動作に追従してサポートバーを自動的に起立させて防水扉をロックするので、防水扉を閉鎖位置の起立姿勢でロックして、出入口からの浸水を安全に防止することができる。また、防水扉は、両側の支柱体に開閉ガイド機構を介して支持されるとともに、中間部で扉ロック機構のサポートバーに支持されることから、防水扉の水圧に対する強度を増大できて出入口の径間を大きくとることができる。もちろん、防水扉の保管場所も不要で、迅速に防水扉の開閉が可能となる。
【０００９】
請求項２記載の発明は、防水扉が上下複数段に分割された分割扉を折り畳み自在に連結して構成されるとともに、収納室に折り畳んだ倒伏姿勢で収納され、ゲート開閉装置は、防水扉に連結された索体と、支柱体に設けられて前記索体を案内するシーブと、索体を押し引きする水道圧開閉シリンダとを具備し、前記水道圧開閉シリンダにより索体をシーブを介して引き込むことにより防水扉を展開して支柱体間に起立させるように構成したものである。
【００１０】
上記構成によれば、防水扉を折り畳んだ倒伏姿勢で収納室に収納するように構成したので、収納室を浅くコンパクトに形成することができる。
請求項３記載の発明は、防水扉が起立されて閉鎖姿勢となる動作に作に連動して防水扉を前方に押し付け、防水扉と支柱体および収納室の一方に取り付けられたシール部材を圧縮して隙間をシールし、防水扉をロックするゲートクランプ装置を設けたものである。
【００１１】
上記構成によれば、ゲートクランプ装置により、防水扉の周囲隙間をシール部材により確実にシールすることができ、防水性能を向上させることができる。
【００１２】
【発明の実施の形態】
ここで、本発明に係る防水扉装置の実施の形態を図面に基づいて説明する。
図１〜図３に示すように、この防水扉装置は、出入口１の両側に立設された左右一対の支柱体２と、前記支柱体２の間で出入口間の後床部に形成された収納室３と、上下二段に分割されるとともに折り畳み自在に連結された防水扉４と、左右の支柱体２とその近傍の収納室３に設けられ防水扉４を収納室３内に折り畳まれた倒伏姿勢から支柱体２の間に立設される閉鎖姿勢との間で起伏駆動して出入口１を開閉するゲート開閉装置５と、支柱体２間で起立された閉鎖姿勢の防水扉４の前面を前方に押し付けてシールするとともに防水扉４をロックするゲートクランプ装置６と、防水扉４の閉動時に、防水扉４の開動に追従してサポートバー８が回動起立されて防水扉４をロックするゲートロック装置７とが具備されている。
【００１３】
防水扉４は、上段扉（分割扉）４ａと下段扉４ｂが連結ヒンジ１１を幅方向に沿う水平軸心回りに介して折り畳み自在に連結され、下段扉（分割扉）４ｂの下端部が、収納室３のゲート支持金具１２に水平ピンを介して幅方向に沿う水平軸心回りに回動自在に支持されている。またこの防水扉４の開閉を案内する開閉ガイド機構１９は、支柱体２の対向面の開口部にそれぞれ配設された昇降レール１３と、上段扉４ａの両側先端部に、幅方向に沿う水平ピンを介して回動自在に連結されたスライドプレート１４と、これらスライドプレート１４に設けられて昇降レール１３に転動される複数のガイドローラ１５とで構成されている。さらに下段扉４ｂの下縁部と、上段扉４ａと下段扉４ｂの両縁部には、それぞれシールパッキン（シール部材）９ａ，９ｂが取り付けられている。
【００１４】
ゲート開閉装置５は、図２〜図５に示すように、上段扉４ａの両側のスライドプレート１４にそれぞれ連結されるとともに、支柱体２と収納室３に設けられた上下シーブ１６Ａ，１６Ｂを介して収納室３に導入されたたワイヤロープ１７（索体）と、収納室３に配置されてワイヤロープ１７を押し引きする水道圧開閉シリンダ（流体圧シリンダ）１８とを具備し、水道水圧を水道圧シリンダ１８の収縮室側に供給することにより、前記ワイヤロープ１１が収納室３内に引き込まれて、防水扉４のスライドプレート１４が昇降レール１４に沿って上昇され、収納室３内で折り畳み状態の防水扉４が展開されて引出され、さらに支柱体２間に起立される。
【００１５】
ゲートクランプ装置６は、図２，図３および図６に示すように、左右の支柱体３内に長孔とガイドピンからなる出退ガイド２１を介して出退プレート２２が上下スライド自在に配置され、前記出退プレート２２の所定位置に背面側上位から正面側下位に傾斜するロック面２３ａを有する楔金具２３が取り付けられている。また左右の支柱体３内には、出退プレート２２を昇降させる水道圧ロックシリンダ２４が設けられている。また前記楔金具２３にそれぞれ対応して、下段扉４ｂの上部両側に楔金具２３がロック面２３ａを介して係合される受動金具２５が設けられている。そして、支柱体３の背面に設けられたバルブボックス２６に、水道圧ロックシリンダ２４への水道配管に介在されたクランプ用操作弁２７が設けられており、防水扉４が起立されると、上段扉４ａの両側上端部に背面側に突設されたロック用操作杆２８がクランプ用操作弁２７の操作ロッド２７ａに当接してクランプ用操作弁２７が操作され、水道圧ロックシリンダ２４を起動するように構成されている。
【００１６】
すなわち、防水扉４が起立されて操作杆２８がクランプ用操作弁２７の操作ロッド２７ａを上方に押し上げると、クランプ用操作弁２７から水道圧ロックシリンダ２４の収縮室に水道水が供給されると共に進展室から排水されピストンロッドが収縮され、出退プレート２２が上昇される。これにより楔金具２３が上昇されて受動金具２５に係合し、ロック面２５ａを介して受動金具２５を介して防水扉４を正面側に引き付ける。これにより、防水扉４に取り付けられたシールパッキン９ａ，９ｂが収納室３の前縁部のシール板３ｓと支柱体２のシール板２ｓに押付けられて圧縮され、防水扉４がシールされる。
【００１７】
ゲートロック装置７は、防水扉４が展開閉動される時に、サボートバー８を追従させて防水扉４の幅方向の中間位置で起立させ、起立姿勢の防水扉４を背面側から支持してロックするものである。すなわち、図７〜図９に示すように、収納室３に設置された左右の支持ブラケット３１に、基端部が背面側上方にθで傾斜する支持ピン３２を介してサポートバー８がそれぞれ回動自在に支持され、支持ブラケット３１の連結ピン３１ａとサポートバー８の連結ピン８ａの間に連結されたコイルばね（付勢部材）３３により、起立方向に回動付勢されている。したがって、コイルばね３３により、サポートバー８は先端部が下段扉４ｂに当接されて下段扉４ｂに追従して回動し、収納された略水平姿勢から９０°を越えて（実際は９５°）前方斜め上方に起立するロック姿勢まで回動されることにより、先端部が下段扉４ｂの背面上部に取り付けられた横梁４ｃに当接して、下段扉４ｂの閉動を阻止することができる。
【００１８】
なお、このゲートロック装置７を解除する場合には、手動によりサポートバー８をコイルばね３３に抗して倒伏回動させ、図１０に実線から仮想線で示すように、コイルばね３３を伸ばして支持ブラケット３１の連結ピン３１ａと支持ピン３２を結ぶ死線ＤＬをα°越える位置に移動され、停止される。そして、防水扉４が閉動されて折り畳まれ下段扉４ｂが下降限に達すると、サポートバー８の基端部に突設されたドグ３４が下段扉４ｂに押されて、サポートバー８が起立方向に少し回動されて死線ＤＬを越え、これによりコイルばね３３がサポートバー８を起立する方向に付勢してその先端部が下段扉４ｂに当接され停止される。
【００１９】
上記構成において、大雨洪水警報などにより、出入口１を閉鎖する場合には、作業員が図６に示すゲート開閉弁１０をＩ位置に操作して左右の水道圧開閉シリンダ１８がそれぞれ収縮されると、図２に実線で示す収納位置から仮想線で示すように、ワイヤロープ１７がシーブ１６Ｂ，１６Ａを介して引き込まれ、防水扉４の上段扉４ａが連結ヒンジ１１を中心に展開されるとともに、下段扉４ｂがゲート支持金具１２を中心に起立方向に回動されて収納室３内から引き出される。
【００２０】
これと同時にゲートロック装置７が起動されてサポートバー８が立ち上がる。そして防水扉４が起立されて図３に示す閉鎖位置に接近すると、ロック姿勢まで回動されて先端部が下段扉４ｂの横梁４ｃに係合され、下段扉４ｂがロックされる。
【００２１】
また防水扉４が閉鎖位置に接近すると、ゲートクランプ装置６が起動される。すなわち、スライドプレート１４の上段扉４ａのロック用操作杆２８がクランプ用操作弁２７の操作ロッド２７ａに当接されてａ位置に操作される。そして水道圧ロックシリンダ２４が収縮され出退プレート２２が上昇されて楔金具２３が受動金具２５に係合されることにより、防水扉４を正面側に引き付けシールパッキン９ａ，９ｂを圧縮して防水扉４の隙間をシールする。そして、ゲート開閉弁１０を中立位置に戻す。
【００２２】
このようにして防水扉４が展開されて起立し出入口１を閉鎖すると同時に、防水扉４がゲートクランプ装置６とゲートロック装置７とにより、二重にロックされ、ゲート開閉装置５と共同して出入口１に侵入する水圧を保持することができる。
【００２３】
出入口１を開放する場合には、まず手動によりクランプ用操作弁２７がｂ位置に切り替えられて水道圧ロックシリンダ２４が進展されることにより、楔金具２３が下降されて受動金具２５から離脱され、ロックが解除される。さらに作業員により、サポートバー８を倒して収納室３内に収納する。さらにゲート開閉弁１０がＩＩ位置に手動操作されて水道圧開閉シリンダ１８が進展されワイヤロープ１７が繰出されて防水扉４が折り畳まれて倒伏され収納室３内に収納される。そして下段扉４ｂが収納室３を覆うカバーと歩廊とに兼用される。
【００２４】
上記実施の形態によれば、ゲートロック装置７により、防水扉４の起立動作に追従してサポートバー８を自動的に起立させ防水扉４をロックするので、防水扉４を閉鎖位置で確実にロックして水圧を支持することができ、安全性を向上させることができる。
【００２５】
また防水扉４を上段扉４ａと下段扉４ｂに分割して折り畳んだ倒伏姿勢で収納室３に収納するので、収納室３を浅くかつコンパクトに構成することができる。さらにゲートクランプ装置６より、防水扉４を正面側に引き付けて支柱体２のシール板２ｓと、収納室３の前縁部のシール板３ｓとにそれぞれ押付け、シールパッキン９ａ，９ｂを圧縮することにより防水扉４周囲の隙間を確実にシールすることができ、防水性能を向上させることができる。また両側の開閉ガイド機構１９およびゲートロック装置７と、中間位置のゲートクランプ装置６と共同して、防水扉４に負荷される水圧を効果的に支持することができ、防水扉４の剛性にのみ頼ることなく耐水圧性能を向上させることができ、径間が大きい出入口１であっても、出入口１の径間を十分に大きくとることができ、幅広い出入口１に対応することができる。
【００２６】
【発明の効果】
以上に述べたごとく請求項１記載の発明によれば、ゲートロック装置により、防水扉の起立動作に追従してサポートバーを自動的に起立させて防水扉をロックするので、防水扉を閉鎖位置の起立姿勢でロックして、出入口からの浸水を安全に防止することができる。また、防水扉は、両側の支柱体に開閉ガイド機構を介して支持されるとともに、中間部で扉ロック機構のサポートバーに支持されることから、防水扉の水圧に対する強度を増大できて出入口の径間を大きくとることができる。もちろん、防水扉の保管場所も不要で、迅速に防水扉の開閉が可能となる。
【００２７】
請求項２記載の発明によれば、防水扉を折り畳んだ倒伏姿勢で収納室に収納するように構成したので、収納室を浅くコンパクトに形成することができる。
請求項３記載の発明によれば、ゲートクランプ装置により、防水扉の周囲隙間をシール部材により確実にシールすることができ、防水性能を向上させることができる。
【図面の簡単な説明】
【図１】本発明に係る防水扉装置の実施の形態を示し、（ａ）は開放時を示す全体斜視図、（ｂ）は閉鎖時を示す全体斜視図である。
【図２】同防水扉装置の開放時の側面断面図である。
【図３】同防水扉装置の閉止時の側面断面図である。
【図４】同防水扉装置の開放時の背面部分断面図である。
【図５】同防水扉装置の支柱部を示す開放時の背面部分断面図である。
【図６】同防水扉装置の配管構成を示す説明図である。
【図７】同ゲートロック装置を示すロック状態の側面図である。
【図８】同ゲートロック装置を示すロック状態の平面図である。
【図９】同ゲートロック装置を示す開放状態の側面図である。
【図１０】同ゲートロック装置の動作を示す説明図である。
【符号の説明】
１　　出入口
２　　支柱体
３　　収納室
４　　防水扉
４ａ　上段扉
４ｂ　下段扉
５　　ゲート開閉装置
６　　ゲートクランプ装置
７　　ゲートロック装置
８　　サポートバー
９ａ，９ｂ　シールパッキン
１０　　ゲート開閉弁
１３　　昇降レール
１４　　スライドプレート
１６Ａ，１６Ｂ　シーブ
１７　　ワイヤロープ
１８　　水道圧開閉シリンダ
１９　　開閉ガイド機構
２３　　楔金具
２４　　水道圧ロックシリンダ
２５　　受動金具
２７　　クランプ用操作弁
２８　　操作杆
３３　　コイルばね
【図１】
2004027684.tif 000003
【図２】
2004027684.tif 000004
【図３】
2004027684.tif 000005
【図４】
2004027684.tif 000006
【図５】
2004027684.tif 000007
【図６】
2004027684.tif 000008
【図７】
2004027684.tif 000009
【図８】
2004027684.tif 000010
【図９】
2004027684.tif 000011
【図１０】
2004027684.tif 000012